(57)【要約】【課題】サージ吸収素子の使用個数を削減し、基板面積を削減し、かつ安価なスプリッタフィルタ回路を提供する。【解決手段】ローパスフィルタ回路部２０と、モデム接続用の直流カットコンデンサＣ５，Ｃ６と、外来サージより回路素子を保護するバリスタＺ１，Ｚ２で構成されるスプリッタフィルタ回路１００であって、前記バリスタＺ１，Ｚ２は、回線側のライン間に直列に接続されており、前記バリスタＺ１，Ｚ２の接続部は、モデム接続用端子のいずれか一方と、電気的に接続されたスプリッタフィルタ回路１００とする。【選択図】  図１
2004159020.tif 000002
【特許請求の範囲】
【請求項１】
ローパスフィルタ回路部と、モデム接続用の直流カットコンデンサと、外来サージより回路素子を保護するサージ吸収素子とで構成されるスプリッタフィルタ回路であって、前記サージ吸収素子は、回線側のライン間に、直列接続で２個配置されており、前記２個のサージ吸収素子の接続部は、モデム接続用端子のいずれか一方と、電気的に接続されていることを特徴とするスプリッタフィルタ回路。
【請求項２】
前記サージ吸収素子はバリスタであることを特徴とする請求項１記載のスプリッタフィルタ回路。
【発明の詳細な説明】
【０００１】
【発明の属する技術分野】
本発明は、主として、ｘ−ＤＳＬ用スプリッタフィルタに使用されるのに好適なスプリッタフィルタ回路に関する。
【０００２】
【従来の技術】
従来のスプリッタフィルタ回路については、ＮＥＣ−ＴＯＫＩＮテクニカルレビューＶｏｌ．２９（ＳＥＰ．２００２年）Ｐ３３に記載されている。図５は、従来のスプリッタフィルタ回路の説明図である。図５において、スプリッタフィルタ回路２００は、ローパスフィルタ部２０ａと、サージ保護回路部１０ａにて構成される。また、回線側より、サージ保護回路部１０ａ、ローパスフィルタ回路部２０ａの順に配置されており、ローパスフィルタ回路部２０ａの端子Ｃ、Ｄは、電話機側に接続され、回線用サージ保護回路部１０ａからの端子Ｅ２，Ｆ２は、モデム側に接続されている。
【０００３】
ここで、回線側からは、端子Ａ２，Ｂ２を介して、音声信号とディジタル信号とが混在して送信されてくる。ローパスフィルタ回路部２０ａを通過した信号は、ローパスフィルタにて音声信号のみである、端子Ｃ、Ｄから電話機に接続される。また、ローパスフィルタ回路部２０ａの前の信号は、直流カットコンデンサＣ５ａ，Ｃ６ａを通じて、端子Ｅ２，Ｆ２より、モデム側に接続される。
【０００４】
ここで、サージ保護回路部１０ａのサージ吸収素子の一例であるバリスタＺａ，Ｚｂ，Ｚｃの配置は、バリスタＺａはライン間に配置され、またバリスタＺｂは直流カットコンデンサＣ５ａと並列に配置され、更にバリスタＺｃは直流カットコンデンサＣ６ａへ並列に配置されている。
【０００５】
図９は、バリスタの電圧電流特性の説明図である。バリスタは、正負対照の特性を示し、閾値電圧、＋ＶＤ１、あるいは−ＶＤ２を超える電圧が印加されると、指数関数的に電流が流れ、バリスタの端子電圧は低電圧が保持され、バリスタと並列に接続された他の回路素子を保護する。
【０００６】
以下、従来のスプリッタフィルタ回路のサージ保護回路部の機能について、説明する。図６は、従来スプリッタフィルタ回路のサージ保護回路部の、横サージに対する保護動作の説明図である。図６の場合は、回線側の端子Ａ２，Ｂ２に、横サージ電圧（横サージ電圧の電圧値Ｖ５，Ｖ６）が加わった場合である。この場合、横サージ電圧の電圧値Ｖ５は、電圧値Ｖ６より大としている。
【０００７】
電圧値Ｖ５と、電圧値Ｖ６の差が、閾値電圧（通常４００Ｖ程度）を超えると、バリスタＺａを通過するサージ電流Ｉ７が流れ、ローパスフィルタ回路部のコンデンサ素子Ｃ１ａとＣ２ａを保護する。さらに、電圧値Ｖ５と、電圧値Ｖ６のそれぞれが、閾値電圧（通常４００Ｖ程度）を超えると、端子Ａ２から、バリスタＺｂを通過するサージ電流Ｉ８が流れて、直流カットコンデンサＣ５ａを保護し、また端子Ｂ２から、バリスタＺｃを通過するサージ電流Ｉ９が流れて、直流カットコンデンサＣ６ａを保護する。
【０００８】
図７は、従来のスプリッタフィルタ回路のサージ保護回路部の、縦サージモード１に対する保護動作の説明図である。端子Ａ２に、縦サージ電圧が印加され、サージ電圧値は、Ｖ７である。この場合、端子Ａ２から、バリスタＺａを通過するサージ電流Ｉ１０が流れ、ローパスフィルタ回路部のコンデンサ素子Ｃ１ａとＣ２ａを保護する。また、端子Ａ２  から、バリスタＺｂを通過するサージ電流Ｉ１１が流れ、  直流カットコンデンサＣ５ａを保護する。
【０００９】
図８は、従来のスプリッタフィルタ回路のサージ保護回路部の、縦サージモード２に対する保護動作の説明図である。端子Ｂ２に、縦サージ電圧が印加され、サージ電圧値は、Ｖ８である。この場合、端子Ｂ２から、バリスタＺａを通過するサージ電流Ｉ１２が流れ、ローパスフィルタ回路部のコンデンサ素子Ｃ１ａとＣ２ａを保護する。また、端子Ｂ２  から、バリスタＺｃを通過するサージ電流Ｉ１３が流れ、  直流カットコンデンサＣ６ａを保護する。
【００１０】
【発明が解決しようとする課題】
従来のスプリッタフィルタ回路では、３個のサージ吸収素子を使用しているが、図７、図８に示すように、縦サージモードでは、モデム側に接続された２個のバリスタのうちの１個は、サージ吸収素子として機能しない。そのため、バリスタの利用する効率が悪く、またバリスタを３個使用するためスプリッタフィルタ回路基板の面積が大となり、価格が高くなる問題点があった。
【００１１】
従って、本発明の目的は、サージ吸収素子の使用個数を削減し、基板面積を削減した、かつ安価なスプリッタフィルタ回路を提供することである。
【００１２】
【課題を解決するための手段】
本発明のスプリッタフィルタ回路は、ローパスフィルタ回路部と、モデム接続用の直流カットコンデンサと、外来サージより回路素子を保護するサージ吸収素子とで構成されるスプリッタフィルタ回路であって、前記サージ吸収素子は、２個配置されており、回線側のライン間に、直列に接続されており、前記２個のサージ吸収素子の接続部は、モデム接続用端子のいずれか一方と、電気的に接続されたスプリッタフィルタ回路である。
【００１３】
また、本発明は、前記サージ吸収素子をバリスタとするスプリッタフィルタ回路である。
【００１４】
【発明の実施の形態】
本発明の実施の形態によるスプリッタフィルタ回路について、以下に説明する。
【００１５】
図１は、本発明の実施の形態によるスプリッタフィルタ回路の説明図である。図１において、スプリッタフィルタ回路１００は、ローパスフィルタ部２０と、サージ保護回路部１０にて構成される。また、回線側より、サージ保護回路部１０、ローパスフィルタ回路部２０の順に配置されており、ローパスフィルタ回路部２０の端子Ｃ１、Ｄ１は、電話機側に接続され、サージ保護回路部１０からの端子Ｅ１，Ｆ１は、モデム側に接続されている。
【００１６】
ここで、回線側からは、端子Ａ１，Ｂ１を介して、音声信号と、ディジタル信号とが混在して送信されてくる。スプリッタフィルタ回路部２０を通過した信号は、ローパスフィルタにて音声信号のみである、端子Ｃ１、Ｄ１から電話機に接続される。また、スプリッタフィルタ回路部２０に入る前の信号は、直流カットコンデンサＣ５，Ｃ６を通じて、端子Ｅ１，Ｆ１より、モデム側に接続される。
【００１７】
ここで、サージ保護回路部１０のサージ吸収素子の一例であるバリスタＺ１，Ｚ２は、２個配置されていて、回線側のライン間に、バリスタＺ１，バリスタＺ２が直列に接続されており、かつバリスタＺ１，バリスタＺ２の接続部は、モデム接続用端子Ｅ１と、電気的に接続されている。なお、バリスタＺ１，バリスタＺ２の特性は、図９に示し、先に説明した動作を行う。
【００１８】
図２は、  本発明の実施の形態によるスプリッタフィルタ回路のサージ保護回路部の、横サージに対する保護動作の説明図である。図２の場合は、回線側の端子Ａ１，Ｂ１に、横サージ電圧（横サージ電圧の電圧値Ｖ１，Ｖ２）が加わった場合である。この場合、横サージ電圧の電圧値Ｖ１は、電圧値Ｖ２より大としている。
【００１９】
電圧値Ｖ１と、電圧値Ｖ２の差が、バリスタの閾値電圧を超えると、バリスタＺ１とバリスタＺ２を通過して、端子Ｂ１に抜けるサージ電流Ｉ０が流れ、ローパスフィルタ回路部のコンデンサ素子Ｃ１とＣ２を保護する。さらに、電圧値Ｖ１と、電圧値Ｖ２のそれぞれが、閾値電圧（通常４００Ｖ程度）を超えると、端子Ａ１から、バリスタＺ１を通過して、端子Ｅ１に抜けるサージ電流Ｉ１が流れて、直流カットコンデンサＣ５を保護し、また端子Ｂ１から、バリスタＺ２を通過するサージ電流Ｉ２  が流れて、直流カットコンデンサＣ６を保護する。
【００２０】
図３は、本発明の実施の形態によるスプリッタフィルタ回路のサージ保護回路部の、縦サージモード１に対する保護動作の説明図である。端子Ａ１に、縦サージ電圧が印加され、サージ電圧値はＶ３である。この場合、端子Ａ１から、バリスタＺ１とＺ２を通過して、端子Ｂ１に抜けるサージ電流Ｉ３が流れ、ローパスフィルタ回路部のコンデンサ素子Ｃ１とＣ２を保護する。また、端子Ａ１から、バリスタＺ１を通過して、端子Ｅ１に抜けるサージ電流Ｉ４が流れ、直流カットコンデンサＣ５  を保護する。
【００２１】
図４は、本発明の実施の形態によるスプリッタフィルタ回路のサージ保護回路部の、縦サージモード２に対する保護動作の説明図である。端子Ｂ１に、縦サージ電圧が印加され、サージ電圧値はＶ４である。この場合、端子Ｂ１から、バリスタＺ２とＺ１を通過して、端子Ａ１に抜けるサージ電流Ｉ５が流れ、ローパスフィルタ回路部のコンデンサ素子Ｃ１とＣ２を保護する。また、端子Ｂ１から、バリスタＺ２を通過して、端子Ｅ１に抜けるサージ電流Ｉ６が流れ、直流カットコンデンサＣ６  を保護する。
【００２２】
【発明の効果】
以上、本発明によれば、サージ吸収素子の使用個数を削減し、基板面積を削減した、かつ安価なスプリッタフィルタ回路を提供できる。
【図面の簡単な説明】
【図１】本発明の実施の形態によるスプリッタフィルタ回路の説明図。
【図２】本発明の実施の形態によるスプリッタフィルタ回路のサージ保護回路部の横サージに対する保護動作の説明図。
【図３】本発明の実施の形態によるスプリッタフィルタ回路のサージ保護回路部の縦サージモード１に対する保護動作の説明図。
【図４】本発明の実施の形態によるスプリッタフィルタ回路のサージ保護回路部の縦サージモード２に対する保護動作の説明図。
【図５】従来例によるスプリッタフィルタ回路の説明図。
【図６】従来のスプリッタフィルタ回路のサージ保護回路部の横サージに対する保護動作の説明図。
【図７】従来のスプリッタフィルタ回路のサージ保護回路部の縦サージモード１に対する保護動作の説明図。
【図８】従来のスプリッタフィルタ回路のサージ保護回路部の縦サージモード２に対する保護動作の説明図。
【図９】バリスタの電圧電流特性の説明図。
【符号の説明】
１０，１０ａ    サージ保護回路部
２０，２０ａ    ローパスフィルタ回路部
１００，２００    スプリッタフィルタ回路
Ｃ５，Ｃ５ａ，Ｃ６，Ｃ６ａ    直流カットコンデンサ
Ｚ１，Ｚ２，Ｚａ，Ｚｂ，Ｚｃ    バリスタ
Ｉ０，Ｉ１，Ｉ２，Ｉ３，Ｉ４，Ｉ５，Ｉ６，Ｉ７，Ｉ８，Ｉ９，Ｉ１０，Ｉ１１，Ｉ１２，Ｉ１３        サージ電流
Ｖ１，Ｖ２，Ｖ５，Ｖ６        横サージ電圧の電圧値
Ｖ３，Ｖ４，Ｖ７，Ｖ８        縦サージ電圧の電圧値
【図１】
2004159020.tif 000003
【図２】
2004159020.tif 000004
【図３】
2004159020.tif 000005
【図４】
2004159020.tif 000006
【図５】
2004159020.tif 000007
【図６】
2004159020.tif 000008
【図７】
2004159020.tif 000009
【図８】
2004159020.tif 000010
【図９】
2004159020.tif 000011